【手続補正書】
【提出日】平成15年12月2日(2003.12.2)
【手続補正１】
【補正対象書類名】明細書
【補正対象項目名】発明の名称
【補正方法】変更
【補正の内容】
【発明の名称】電子データの配信方法及び電子データの配信システム


【手続補正２】
【補正対象書類名】明細書
【補正対象項目名】特許請求の範囲
【補正方法】変更
【補正の内容】
【特許請求の範囲】
【請求項１】
第１のエンティティにより、電子データに第１の電子透かしの埋め込み処理及び第１の暗号化処理を実行して第１のデータを作成するステップと、
前記第１のエンティティにより、前記第１のデータを第２のエンティティへ送信するステップと、
前記第２のエンティティにより、前記第１のデータに第２の電子透かしの埋め込み処理及び第２の暗号化処理を実行して第２のデータを作成するステップと、
前記第２のエンティティにより、前記第２のデータを第３のエンティティへ送信するステップと、
前記第３のエンティティにより、前記第２のデータに対して前記第２の暗号化処理に対応する復号化処理を実行して得られるデータから前記第２の電子透かしを抽出するステップと、
前記第３のエンティティにより、前記第２のデータに対して第３の電子透かしの埋め込み処理を実行して第３のデータを作成するステップと、
前記第３のエンティティにより、前記第３のデータを前記第１のエンティティへ送信するステップとを備えたことを特徴とする電子データの配信方法。
【請求項２】
前記第３のエンティティにより、前記第２のデータに対して前記第２の暗号化処理に対応する復号化処理を実行して得られるデータから抽出された第２の電子透かしを検証するステップを更に備え、
前記第３の電子透かしは、前記検証結果を示す情報を含むことを特徴とする請求項１に記載の電子データの配信方法。
【請求項３】
前記第２のエンティティにより、前記第２のデータのハッシュ値を取得するステップと、
前記第２のエンティティにより、前記ハッシュ値を第３のエンティティへ送信するステップとを更に備え、
前記第２の電子透かしは前記ハッシュ値を示す情報を含み、
前記第３のエンティティにより、前記第２のデータから抽出される第２の電子透かしが示すハッシュ値と、前記第２のエンティティから送信されたハッシュ値とを比較することにより、前記第２のデータの正当性を検証するステップを更に備えたことを特徴とする請求項１に記載の電子データの配信方法。
【請求項４】
前記ハッシュ値は、前記第２のデータを一方向性関数により変換することにより得られることを特徴とする請求項３に記載の電子データの配信方法。
【請求項５】
前記第２のエンティティとその公開鍵とを管理する第４のエンティティにより、証明書付公開鍵を前記第２のエンティティへ発行するステップと、
前記第２のエンティティにより、前記第２のデータ及び前記証明書付公開鍵を前記第１のエンティティへ送信するステップと、
前記第１のエンティティにより、前記証明書付公開鍵を前記第４のエンティティへ送信するステップと、
前記第４のエンティティにより、前記第１のエンティティから送信された証明書付公開鍵を検証するステップと、
前記第４のエンティティにより、前記検証結果を前記第１のエンティティへ送信するステップとを更に備えたことを特徴とする請求項１に記載の電子データの配信方法。
【請求項６】
電子データに第１の電子透かしの埋め込み処理及び第１の暗号化処理を実行して第１のデータを作成する手段と、前記第１のデータを第２のエンティティへ送信する手段とを備えた第１のエンティティと、
前記第１のデータに第２の電子透かしの埋め込み処理及び第２の暗号化処理を実行して第２のデータを作成する手段と、前記第２のデータを第３のエンティティへ送信する手段とを備えた前記第２のエンティティと、
前記第２のデータに対して前記第２の暗号化処理に対応する復号化処理を実行して得られるデータから前記第２の電子透かしを抽出する手段と、前記第２のデータに対して第３の電子透かしの埋め込み処理を実行して第３のデータを作成する手段と、前記第３のデータを前記第１のエンティティへ送信する手段とを備えた前記第３のエンティティとを備えたことを特徴とする電子データの配信システム。
【手続補正３】
【補正対象書類名】明細書
【補正対象項目名】０００１
【補正方法】変更
【補正の内容】
【０００１】
【発明の属する技術分野】
本発明は、電子データの配信方法および電子データの配信システムに関し、特に、動画像データ、静止画像データ、音声データ、コンピュータデータ、コンピュータプログラム等の著作権を有する電子データを配信するマルチメディアネットワークに用いて好適なものである。


【手続補正４】
【補正対象書類名】明細書
【補正対象項目名】００３０
【補正方法】変更
【補正の内容】
【００３０】
【発明が解決しようとする課題】
本発明はこのような実情に鑑みて成されたものであり、上述のような不正を確実に防止できる電子データの配信方法および電子データの配信システムを提供することを目的とする。


【手続補正５】
【補正対象書類名】明細書
【補正対象項目名】００３１
【補正方法】変更
【補正の内容】
【００３１】
【課題を解決するための手段】
本発明の電子データの配信方法は、第１のエンティティにより、電子データに第１の電子透かしの埋め込み処理及び第１の暗号化処理を実行して第１のデータを作成するステップと、前記第１のエンティティにより、前記第１のデータを第２のエンティティへ送信するステップと、前記第２のエンティティにより、前記第１のデータに第２の電子透かしの埋め込み処理及び第２の暗号化処理を実行して第２のデータを作成するステップと、前記第２のエンティティにより、前記第２のデータを第３のエンティティへ送信するステップと、前記第３のエンティティにより、前記第２のデータに対して前記第２の暗号化処理に対応する復号化処理を実行して得られるデータから前記第２の電子透かしを抽出するステップと、前記第３のエンティティにより、前記第２のデータに対して第３の電子透かしの埋め込み処理を実行して第３のデータを作成するステップと、前記第３のエンティティにより、前記第３のデータを前記第１のエンティティへ送信するステップとを備えたことを特徴とする。


【手続補正６】
【補正対象書類名】明細書
【補正対象項目名】００３２
【補正方法】変更
【補正の内容】
【００３２】
本発明の電子データの配信システムは、電子データに第１の電子透かしの埋め込み処理及び第１の暗号化処理を実行して第１のデータを作成する手段と、前記第１のデータを第２のエンティティへ送信する手段とを備えた第１のエンティティと、前記第１のデータに第２の電子透かしの埋め込み処理及び第２の暗号化処理を実行して第２のデータを作成する手段と、前記第２のデータを第３のエンティティへ送信する手段とを備えた前記第２のエンティティと、前記第２のデータに対して前記第２の暗号化処理に対応する復号化処理を実行して得られるデータから前記第２の電子透かしを抽出する手段と、前記第２のデータに対して第３の電子透かしの埋め込み処理を実行して第３のデータを作成する手段と、前記第３のデータを前記第１のエンティティへ送信する手段とを備えた前記第３のエンティティとを備えたことを特徴とする。


【手続補正７】
【補正対象書類名】明細書
【補正対象項目名】００３３
【補正方法】削除
【補正の内容】
【手続補正８】
【補正対象書類名】明細書
【補正対象項目名】００３４
【補正方法】削除
【補正の内容】
【手続補正９】
【補正対象書類名】明細書
【補正対象項目名】００３５
【補正方法】削除
【補正の内容】
【手続補正１０】
【補正対象書類名】明細書
【補正対象項目名】００３６
【補正方法】削除
【補正の内容】
【手続補正１１】
【補正対象書類名】明細書
【補正対象項目名】００３７
【補正方法】削除
【補正の内容】
【手続補正１２】
【補正対象書類名】明細書
【補正対象項目名】００３８
【補正方法】削除
【補正の内容】
【手続補正１３】
【補正対象書類名】明細書
【補正対象項目名】００３９
【補正方法】削除
【補正の内容】
【手続補正１４】
【補正対象書類名】明細書
【補正対象項目名】００４０
【補正方法】削除
【補正の内容】
【手続補正１５】
【補正対象書類名】明細書
【補正対象項目名】００４１
【補正方法】削除
【補正の内容】
【手続補正１６】
【補正対象書類名】明細書
【補正対象項目名】００４２
【補正方法】削除
【補正の内容】
【手続補正１７】
【補正対象書類名】明細書
【補正対象項目名】００４３
【補正方法】削除
【補正の内容】
【手続補正１８】
【補正対象書類名】明細書
【補正対象項目名】００４４
【補正方法】削除
【補正の内容】
【手続補正１９】
【補正対象書類名】明細書
【補正対象項目名】０１５１
【補正方法】変更
【補正の内容】
【０１５１】
【発明の効果】
本発明によれば、電子データを不正にコピーして配布を行った際にその不正行為および不正行為者を確実に認識することができ、これによって不正を確実に防止することが可能となり、電子データの不正配布を防ぐことを実現できる。


【手続補正２０】
【補正対象書類名】図面
【補正対象項目名】図５
【補正方法】変更
【補正の内容】
【図５】
1999212461.tif 000001